(57)【要約】【課題】本考案は雌端部の内面成形用の型枠を装着が容易で、雌端部の内面の成形不良が生じないようにしたゴムによる部厚な角筒体とその内外端を強固に支持する手段とを持った安定性のある振動締め固めによるコンクリートカルバート成形用の型枠を新規に提供することにある。【解決手段】本考案はコンクリートカルバートを振動締め固め成形する縦打ち型枠または横打ち型枠において、該コンクリートカルバートの雌端部の内面を成形する型枠をゴムによる部厚な角筒体にて形成し、該ゴムによる部厚な角筒体の内端を金属の内端輪版の外周端による嵌め当て止めと、該角筒体の外端を外周側から金属の外端輪版にて押当て止めすることにより、コンクリートカルバートの雌端部の内面を所定形状にて成形し得るようにしたことを特徴とする振動締め固めによるコンクリートカルバート成形用の型枠にある。【選択図】図２
0003127984.tif 000002
【実用新案登録請求の範囲】
【請求項１】
少なくともコンクリートカルバートの雌端部の内面を成形する雌端部の内面成形用型枠を具備した振動締め固めによりコンクリートカルバートを成形する型枠において、
前記雌端部の内面成形用型枠が、ゴム製の部厚な角筒体と、
前記部厚な角筒体の内端を支持する金属製の内端輪版と、
前記部厚な角筒体の外端を支持する金属製の外端輪版とにより構成し、
前記部厚な角筒体の内端に内端輪版の外周端を嵌め合わせて止着すると共に、
前記部厚な角筒体の外端を外周側から外端輪版に押し当てて止着したことを特徴とする、
コンクリートカルバート成形用の型枠。
【請求項２】
請求項１において、前記部厚な角筒体の内端に周設したＶ形溝に、前記内端輪版に設けた折り爪を嵌入して、前記部厚な角筒体の内端に内端輪版の外周端を嵌め合わせて止着したことを特徴とする、コンクリートカルバート成形用の型枠。
【請求項３】
請求項１または請求項２において、前記部厚な角筒体の外面を平坦面、若しくは平坦にほぼ近い緩い傾斜面に形成したことを特徴とする、コンクリートカルバート成形用の型枠。
【考案の詳細な説明】
【技術分野】
【０００１】
本考案は振動締め固めによるコンクリートカルバート成形用の型枠に関するものである。
【背景技術】
【０００２】
本願出願人は先に特許文献１（特願２００２−０４６３５３号）にて耐震継手を提案した。
このコンクリートカルバートの耐震継手は、インロー嵌合する雌端部と雄端部で構成されていて、コンクリートカルバートを振動締め固めにより成形する際に、型枠の脱型性に配慮して雌端部と雄端部の内外面を平坦面、若しくは平坦に近い緩い勾配のついた傾斜面に形成している。
又、継手を構成する雌端部と雄端部の対向する内外面間には、ほぼ平行な間隙を形成すると共に、雌端部と雄端部の内外面の何れかに付設したシール用のゴム輪体が、嵌合した雌端部と雄端部の間隙内で圧入されてシールする構造になっている。
そして振動，衝動，衝撃，地盤沈下等により雌端部と雄端部を嵌合した継手にずれ動き等が生じたときにも、前記間隙内に設けたゴム輪体の圧入状態が維持されるようになっている。
【特許文献１】特願２００２−０４６３５３号
【考案の開示】
【考案が解決しようとする課題】
【０００３】
コンクリートカルバートを振動締め固めにより成形する場合、成形時の振動に起因して型枠の位置ずれ，たわみ，浮き出し等を生じるために、雌端部の内面を所定の形状に成形し得ないという成形不良の問題があった。
【０００４】
本考案は以上の点に鑑みて成されたもので、その目的とするところは、コンクリートカルバートを振動締め固めで成形する際において、雌端部の内面成形用の型枠が振動による位置ずれ、たわみ、浮き出し等を生じないようにした、コンクリートカルバート成形用の型枠を提供することにある。
【課題を解決するための手段】
【０００５】
本願の第１考案は、少なくともコンクリートカルバートの雌端部の内面を成形する雌端部の内面成形用型枠を具備した振動締め固めによりコンクリートカルバートを成形する型枠において、前記雌端部の内面成形用型枠が、ゴム製の部厚な角筒体と、前記部厚な角筒体の内端を支持する金属製の内端輪版と、前記部厚な角筒体の外端を支持する金属製の外端輪版とにより構成し、前記部厚な角筒体の内端に内端輪版の外周端を嵌め合わせて止着すると共に、前記部厚な角筒体の外端を外周側から外端輪版に押し当てて止着したことを特徴とする、コンクリートカルバート成形用の型枠を提供する。
本願の第２考案は、第１考案において、前記部厚な角筒体の内端に周設したＶ形溝に、前記内端輪版に設けた折り爪を嵌入して、前記部厚な角筒体の内端に内端輪版の外周端を嵌め合わせて止着したことを特徴とする、コンクリートカルバート成形用の型枠を提供する。
本願の第３考案は、第１考案または第２考案において、前記部厚な角筒体の外面を平坦面、若しくは平坦にほぼ近い緩い傾斜面に形成したことを特徴とする、コンクリートカルバート成形用の型枠を提供する。。
【考案の効果】
【０００６】
本考案は、図５（ｂ）に示すように雄端部との間でインロー嵌合する雌端部の内面を外面と平行するように平坦面、若しくは極く弛るい傾斜面に成形するに当って、雌端部の内面成形用の型枠を、部厚な角筒体と、角筒体の内外端を夫々支持する金属製の内端輪版及び外端輪版で構成し、角筒体の内端を内端輪版の外周端の押し嵌めにて支持し、角筒体の外端を外端輪版の外周側からの押当てにて支持するようにしたものである。
従って、部厚な角筒体は内外端にて強固に支持されるために、振動締め固めによる成形に適応して、コンクリートカルバートの雌端部の内面を所定の形状にて、且つ緻密に成形できて、成形不良の発生を効果的に防止できる。
【０００７】
しかも角筒体の内端に形成したＶ形溝に、内端輪版の外周端の折り爪を嵌め込んで支持すると共に、角筒体の外端を外端輪版の外側からの押し当てて強固に支持できるので、雌端部の内面成形用の型枠の装着および解体が容易であり、雌端部の内面をだれ等がない緻密な面に成形することができる。
【考案を実施するための最良の形態】
【０００８】
本考案に係るコンクリートカルバートを振動締め固め成形する型枠は、縦打ち型枠または横打ち型枠であって、雌端部の内面を成形する型枠をゴム製の部厚な角筒体にて形成し、この部厚な角筒体の内端にＶ形溝を周設し、金属の内端輪版の外周端に設ける角筒体方向に向いた折り爪を前記のＶ形溝に押し嵌入止めして角筒体の内端を強固に支持し、金属の外端輪版の外周側からの押当て止めにて角筒体の外端を強固に支持して、以ってコンクリートカルバートの振動締め固め成形の際に雌端部の内面を所定形状にて成形するものである。
部厚な角筒体の外面を平坦面、若しくは平坦面に近い極く弛るい傾斜面にすることで、コンクリートカルバートの雌端部の内面を外面と平行な平坦面、若しくは平坦に近い弛るい傾斜面に成形するものである。
【実施例１】
【０００９】
以降に図面を参照しながら本考案に係る型枠の実施例について説明する。
図１乃至図３は縦打ち型枠を用いてコンクリートカルバートを振動締め固めにより成形している状態を示す図で、図１はその全体断面図、図２は要部の拡大図である。
振動締め固め成形用の縦打ち型枠１の内型枠１ａと外型枠１ｂを具備する。
相対向して配置した内型枠１ａと外型枠１ｂの上端に雄端部４の外周面を平坦に成形する雄端部成形用の型枠５を設置し、この型枠５にインサート取付用のゴム輪体３を取り付ける。
ゴム輪体３はボルト２ａ，２ｂにて型枠５から取外し自在に取付ける。
相対向して配置した内型枠１ａと外型枠１ｂの下端には雌端部成形用の型枠６を嵌め込んで取り付ける。
【００１０】
図３を基に雌端部成形用の型枠６について説明する。
雌端部成形用の型枠６は、雌端部７の内面を成形するゴム製の部厚な角筒体８と、角筒体８の内外端を夫々支持する金属製の内端輪版１２及び外端輪版１４を具備する。
角筒体８の内端（上端）にはＶ形溝９を周設すると共に、その外端（下端）には雌端部７の内側端面の面取り部を成形するための外側傾斜部１１を設ける。
角筒体８の外周面は、平坦な垂直面１０（図３ａ）、若しくは垂直面に近い極く弛るい傾斜面１０ａ（図３ｂ）に形成する。
金属製の内端輪版１２はその外周端に設けた下向きの折り爪１３を有する。
角筒体８の内端（上端）は、そのＶ形溝９に内端輪版１２の折り爪１３を押し込み嵌め込んで接続して支持する。
角筒体８の外端（下端）は、外側傾斜部１１の端を外周側から外端輪版１４を押し当て止めにて支持する。
なお、１５は雌端部成形用の型枠６を支持する支持部材である。
【００１１】
図１に示すように、型枠１の上端に雄端部成形用の型枠５を取り付け、型枠１の下端に既述した雌端部成形用の型枠６を取り付ける。
型枠１全体に振動を与えつつ、内外型枠１ａ，１ｂ間にコンクリートＣを投入してコンクリートカルバート１６を振動締め固め成形する。
コンクリートＣが固化した後、ボルト２ａ，２ｂを弛めて雄端部成形用の型枠５を取り外す。つぎに外型枠１ｂを解体する。
つぎに固化したコンクリートＣから雌端部成形用の型枠６を脱型することになるが、本考案は雌端部成形用の型枠６の構成部材のひとつである部厚な角筒体８がゴム製であるので、ゴムの弾性を利用して一方を他方に押し付ける等して隙間を生じさせることにより容易に脱型することができる。
雌端部７の内面を平坦面、若しくは平坦に極く近い弛るい傾斜面として成形する場合に、雌端部成形用の型枠６の脱型を容易に行なえる。
【実施例２】
【００１２】
図４は横打ち型枠１７によりコンクリートカルバートを振動締め固めで成形する実施例２に係る型枠の全体断面図を示す。
本実施例は、公知の横打ち型枠１７の前後端に雄型枠５と雌型枠６とをそれぞれ横向きにして取り付けてコンクリートカルバートを成形するようにしたことの他は、前記した実施例１と同じである。
本実施例においては、ゴム製の部厚な角筒体８の内外端を内端輪版１２と外端輪版１３とにより強固に支持しているので、横打ち型枠１７においても型枠の装着および解体が容易であり、しかも雌端部７の内面をだれがない所定の形状に成形することができる。
【００１３】
本考案は内面を所定の形状に正確に成形した雌端部７と、平坦面として成形した雄端部４とをインロー嵌合してコンクリートカルバート１６を敷設した後に、地震，衝撃，地盤沈下等によりコンクリートカルバート１６にずれ動きが生じても、雌端部７と雄端部４の間隙内に嵌入するゴム輪体３が、引続き圧入状態を保ち続けるので、良好なシール効果を維持することとなる。
【図面の簡単な説明】
【００１４】
【図１】縦打ち型枠にてコンクリートカルバートを振動締め固め成形する実施例１に係る型枠の断面図
【図２】雌端部の成形用型枠の拡大図
【図３】雌端部成形用型枠の部分断面図で、（ａ）はゴム製の部厚な角筒体の外周面を平坦（垂直）面に形成した一例の断面図、（ｂ）はゴム製の部厚な角筒体の外周面を平坦（垂直）面に近い極く弛るい傾斜面に形成した一例の断面図
【図４】横打ち型枠によるコンクリートカルバートの成形する実施例２に係る型枠の断面図
【図５】本考案の型枠で成形されたコンクリートカルバートの説明図で、（ａ）はコンクリートカルバートの全体斜視図、（ｂ）は嵌合接続前の状態における雄端部と雌端部の部分拡大断面図
【符号の説明】
【００１５】
１・・・・・・縦打ち型枠
１ａ・・・・・内型枠
１ｂ・・・・・外型枠
２ａ，２ｂ・・・ボルト
３・・・・・・ゴム輪体
４・・・・・・雄端部
５・・・・・・雄端部成形用型枠
６・・・・・・雌端部成形用型枠
７・・・・・・雌端部
８・・・・・・ゴムによる部厚な角筒体
９・・・・・・Ｖ形溝
１０・・・・・平坦面
１０ａ・・・・極く弛るい傾斜面
１１・・・・・外側傾斜部
１２・・・・・金属の内端輪版
１３・・・・・折り爪
１４・・・・・金属の外端輪版
１５・・・・・支持部材
１６・・・・・コンクリートカルバート
１７・・・・・横打ち型枠
【図１】
0003127984.tif 000003
【図２】
0003127984.tif 000004
【図３】
0003127984.tif 000005
【図４】
0003127984.tif 000006
【図５】
0003127984.tif 000007